(57)【特許請求の範囲】
【請求項１】
少なくともコイルとコンデンサを含む同調回路を備えた情報入力装置のカーソルにおいて、
複数の各情報入力装置のカーソルの筐体を手持ち操作可能で平面状の底面を有するものでそれぞれ構成するとともに、
複数の各情報入力装置のカーソルの同調回路をそのコイルの軸方向が各筐体の底面に対してそれぞれ異なる所定角度傾き、情報入力装置の座標検出面上に載置した時に当該コイルの軸方向の傾きから複数の各情報入力装置のカーソルを判別可能なように取り付けた
ことを特徴とする情報入力装置のカーソル。
【請求項２】
各情報入力装置のカーソルの同調回路としてそれぞれ同調周波数が異なる同調回路を用いたことを特徴とする請求項１記載の情報入力装置のカーソル。
【発明の詳細な説明】
【０００１】
【産業上の利用分野】
本発明は、特に位置指示器による２次元の指示座標とともに該位置指示器の傾斜角や傾斜方向をコンピュータ等に入力し得る情報入力装置に用いられるカーソルに関するものである。
【０００２】
【従来の技術】
従来、この種の情報入力装置としては、本件出願人の出願にかかる特願平１−２７８０３７号「角度情報入力装置」（特開平３−６７３２０号公報参照）（以下、先願１と称す。）又は特願平６−１１１７９１号「角度情報入力装置」（以下、先願２と称す。）に記載されたものがあった。
【０００３】
まず、先願１の内容を簡単に説明すると、図２に示すように、ほぼ平行に伸長した複数のセンスコイルＣ1 ，Ｃ2 ，……Ｃ48がほぼ等しい方向、例えばＸ軸方向を指向して並列に配設された座標入力面１に対し、少なくともコイルとコンデンサを含む同調回路を備えたペン形の位置指示器２を近接させておく。この時、一のセンスコイル、例えばＣ1 に前記同調回路の同調周波数にほぼ等しい周波数の電流を通電すると、同調回路は該一のセンスコイルＣ1 より発信される電波に同調し、同様な電波を反射して通電を停止した一のセンスコイルＣ1 に誘導電圧を発生させる。
【０００４】
これを複数のセンスコイルＣ2 〜Ｃ48について順次切替えて繰返すと、図２に示すような位置指示器２の指示位置に対応した位置でピーク電圧Ｖｐをとる誘導電圧（実際には、各センスコイル毎の離散的な電圧であるが、図面では連続した曲線で表している。）３が得られ、該誘導電圧のピーク電圧Ｖｐの位置を求めることにより、位置指示器２のＸ軸方向の指示位置の座標値ｘを求める。
【０００５】
また、前記誘導電圧３のピーク電圧Ｖｐとその近傍に現れる副ピーク電圧Ｖpaとの関係に着目し、その比Ｋx ＝Ｖｐ／Ｖpaが位置指示器２（厳密には位置指示器２の同調回路を構成するコイルの軸方向）のＸ軸方向に対する傾斜角θx に応じて変化することに基づき、予め該比Ｋx の値とＸ軸方向に対する傾斜角θx との関係を求めておき、前記誘導電圧３より得られる比Ｋx からＸ軸方向に対する傾斜角θx を求める。
【０００６】
さらにまた、座標入力面１に対してＹ軸方向を指向して並列に配設された他の複数のセンスコイル（図示せず）と位置指示器２との間における前記同様な動作によって得られた誘導電圧より位置指示器２のＹ軸方向の指示位置の座標値ｙを求め、前記同様にしてＹ軸方向に対する傾斜角θy を求め、さらにＸ軸方向及びＹ軸方向に対する傾斜角θx 及びθy から、位置指示器２のＸ軸（又はＹ軸）を始端とする回転角並びにＸＹ平面に直交する軸（Ｚ軸）に対する傾斜角を求める如くなしていた。
【０００７】
また、先願２では、図２に示すように、誘導電圧のピーク電圧Ｖｐとその近傍に現れる副ピーク電圧Ｖpaとともに第２の副ピーク電圧Ｖpbとの関係にも着目し、さらにＸ軸方向の誘導電圧中のＶｐ、Ｖpa及びＶpbが位置指示器２のＹ軸方向に対する傾斜角θy の影響を受け、また、Ｙ軸方向の誘導電圧中のＶｐ、Ｖpa及びＶpbが位置指示器２のＸ軸方向に対する傾斜角θx の影響を受ける点も考慮し、これらの関係を予め関数化して求めておくことによって、より正確な位置指示器２のＸ軸方向に対する傾斜角θx 、Ｙ軸方向に対する傾斜角θy 、位置指示器２のＸ軸（又はＹ軸）を始端とする回転角並びＺ軸に対する傾斜角を求める如くなしていた。
【０００８】
【発明が解決しようとする課題】
ところで、前述した情報入力装置において位置指示器をＺ軸に対して傾けたまま該Ｚ軸回りに回転させると、ＸＹ平面内における相対的な回転角を入力することができ、ディスプレイ上に表示された図形の回転等に利用することができる。
【０００９】
しかしながら、前述した位置指示器ではＺ軸に対する傾斜角（厳密には同調回路を構成するコイルの軸の傾斜角）が変わり易く、回転の途中でＺ軸に対する傾斜角が０となると、Ｘ軸及びＹ軸方向に対する傾斜角θx 及びθy がとれなくなり、ＸＹ平面内における相対的な回転角を入力できなくなるという問題があった。
【００１０】
本発明の目的は、判別可能な複数の情報入力装置のカーソルを提供することにある。
【００１１】
本発明の他の目的は、複数の同時に使用可能なＸＹ平面内における相対的な回転角を入力し得る情報入力装置のカーソルを提供することにある。
【００１２】
【課題を解決するための手段】
本発明の目的を達成するため、請求項１では、少なくともコイルとコンデンサを含む同調回路を備えた情報入力装置のカーソルにおいて、複数の各情報入力装置のカーソルの筐体を手持ち操作可能で平面状の底面を有するものでそれぞれ構成するとともに、複数の各情報入力装置のカーソルの同調回路をそのコイルの軸方向が各筐体の底面に対してそれぞれ異なる所定角度傾き、情報入力装置の座標検出面上に載置した時に当該コイルの軸方向の傾きから複数の各情報入力装置のカーソルを判別可能なように取り付けた情報入力装置のカーソルを提案する。
【００１３】
また、本発明の他の目的を達成するため、請求項２では、各情報入力装置のカーソルの同調回路としてそれぞれ同調周波数が異なる同調回路を用いた請求項１記載の情報入力装置のカーソルを提案する。
【００１４】
【作用】
請求項１の発明によれば、各情報入力装置のカーソルにおけるコイルの軸方向がＸＹ平面に対してそれぞれ常に異なる所定角度傾くことになるため、該角度よりそれぞれの情報入力装置のカーソルを判別することが可能となる。
【００１５】
また、請求項２の発明によれば、同調回路における同調周波数の相違より各情報入力装置のカーソルを同時に検出でき、この際、前記同様にそれぞれのコイルの軸方向がＸＹ平面に対してそれぞれ常に異なる所定角度傾くことになり、ＸＹ平面内における相対的な回転角を同時に入力できることになる。
【００１６】
【実施例】
図１は本発明の情報入力装置のカーソルの参考例を示すもので、図中、１０はカーソルである。該カーソル１０は、手持ち操作可能で平面状の底面を有する筐体、ここでは直径５cm、高さ２cm程度の円柱状の筐体１１と、少なくともコイルとコンデンサを含む同調回路１２とからなっており、該同調回路１２はそのコイルの軸方向１２ａが筐体１１の底面１１ａに対して所定角度、ここでは底面１１ａの中心Ｏに直交する軸１１ｂに対してαだけ傾くように取り付けられている。
【００１７】
前述したカーソル１０を、従来例で述べた情報入力装置の座標検出面（図示せず）上に載置すると、図３に示すように同調回路１２のＺ軸に対する傾斜角は前述したαとなり、この傾斜角αは該カーソル１０を座標検出面上でどのように移動させても変化しない。
【００１８】
従って、図４に示すようにカーソル１０を、その同調回路１２の軸方向１２ａがＸ軸を始端とする回転角θ1 の状態から回転角θ2 の状態になるように変化させると、ＸＹ平面内における相対的な回転角θ3 ＝θ2 −θ1 を入力することが可能となり、ディスプレイ上に表示された図形の回転等に利用することが可能となる。
【００１９】
図５は本発明の情報入力装置のカーソルの一実施例を示すもので、ここでは判別可能な複数の情報入力装置のカーソルを提供する例を示す。即ち、図中、２０及び３０はカーソルであり、それぞれ第１の実施例と同様な筐体２１及び３１と、同調回路２２及び３２とからなっており、各同調回路２２及び３２はそのコイルの軸方向２２ａ及び３２ａがそれぞれ筐体２１及び３１の底面２１ａ及び３１ａに対して所定角度、ここでは底面２１ａ及び３１ａの中心Ｏに直交する軸２１ｂ及び３１ｂに対してα1 及びα2 （α1 ≠α2 ）だけ傾くように取り付けられている。
【００２０】
前述したカーソル２０及び３０を、従来例で述べた情報入力装置の座標検出面（図示せず）上に載置すると、同調回路２２及び３２のＺ軸に対する傾斜角は前述したα1 及びα2 となり、この傾斜角α1 及びα2 は該カーソル２０及び３０を座標検出面上でどのように移動させても変化しないから、この傾斜角よりそれぞれのカーソルを判別することが可能となり、また、これらの傾斜角を予め登録しておくことにより、情報入力装置の使用者を特定するＩＤ情報等として用いることも可能となる。
【００２１】
なお、ここで同調回路２２及び３２における同調周波数をそれぞれ互いに異なる周波数とするとともに、情報入力装置として同調周波数の差を利用して複数の位置指示器を同時に検出可能なもの（例えば、本件出願人の出願にかかる特願昭６１−２５５２６９号、特願昭６３−２４８９５６号、特願平２−４１８３２号等）を用いれば、同調周波数の相違より各情報入力装置のカーソルを同時に検出できるとともに、前述した２つの傾斜角α1 及びα2 それぞれに対するＸＹ平面内における２つの相対的な回転角を入力することが可能となり、ディスプレイ上に表示された２つの図形を同時に回転させるようなことが可能となる。
【００２２】
【発明の効果】
本発明の請求項１によれば、少なくともコイルとコンデンサを含む同調回路を備えた情報入力装置のカーソルにおいて、複数の各情報入力装置のカーソルの筐体を手持ち操作可能で平面状の底面を有するものでそれぞれ構成するとともに、複数の各情報入力装置のカーソルの同調回路をそのコイルの軸方向が各筐体の底面に対してそれぞれ異なる所定角度傾き、情報入力装置の座標検出面上に載置した時に当該コイルの軸方向の傾きから複数の各情報入力装置のカーソルを判別可能なように取り付けたことにより、各情報入力装置のカーソルにおけるコイルの軸方向がＸＹ平面に対してそれぞれ常に異なる所定角度傾くことになるため、該角度よりそれぞれの情報入力装置のカーソルを判別することが可能となり、これらの傾斜角を情報入力装置の使用者を特定するＩＤ情報等として用いることも可能となる。
【００２３】
本発明の請求項２によれば、各情報入力装置のカーソルの同調回路としてそれぞれ同調周波数が異なる同調回路を用いたことにより、同調回路における同調周波数の相違より各情報入力装置のカーソルを同時に検出でき、この際、前記同様にそれぞれのコイルの軸方向がＸＹ平面に対してそれぞれ常に異なる所定角度傾くことになり、複数のＸＹ平面内における相対的な回転角を同時に入力でき、ディスプレイ上に表示された２つの図形を同時に回転させるようなことが可能となる。
【図面の簡単な説明】
【図１】  本発明の情報入力装置のカーソルの参考例を示す斜視図
【図２】  従来の情報入力装置における角度情報の検出原理の説明図
【図３】  本発明の情報入力装置のカーソルにおける同調回路のＺ軸に対する傾斜角の説明図
【図４】  本発明の情報入力装置のカーソルによる相対的な回転角の検出のようすを示す説明図
【図５】  本発明の情報入力装置のカーソルの一実施例を示す斜視図
【符号の説明】
１０，２０，３０…カーソル、１１，２１，３１…筐体、１２，２２，３２…同調回路。
【図１】
0003683299.tif 000002
【図２】
0003683299.tif 000003
【図３】
0003683299.tif 000004
【図４】
0003683299.tif 000005
【図５】
0003683299.tif 000006